(57)【特許請求の範囲】
【請求項１】
クレセント錠の施解錠状態を検出する能動型のセンサを構成する検出部と、
導電材料からなり前記クレセント錠の操作レバーに貼着された導電シートと、
前記クレセント錠が施錠状態であるときと前記クレセント錠が解錠状態であるときとで前記操作レバーとの距離が変化する位置に固定されたコイルとを備え、
前記検出部は、前記コイルのインダクタンスの変化に基づいて前記クレセント錠の施解錠状態を検出することを特徴とする窓用戸締センサ。
【請求項２】
クレセント錠の施解錠状態を検出する能動型のセンサを構成する検出部と、
導電材料からなり前記クレセント錠の操作レバーに貼着された導電シートと、
前記クレセント錠が施錠状態であるときと前記クレセント錠が解錠状態であるときとで前記操作レバーとの距離が変化する位置に固定された２個の検出電極とを備え、
前記検出部は、前記検出電極間のキャパシタンスに基いて前記クレセント錠の施解錠状態を検出することを特徴とする窓用戸締センサ。
【発明の詳細な説明】
【技術分野】
【０００１】
本発明は、窓用戸締センサに関するものである。
【背景技術】
【０００２】
従来から、引き違い戸の施錠に用いられるクレセント錠の施解錠状態を検出する窓用戸締センサが提供されている（例えば、特許文献１及び特許文献２参照）。
【０００３】
クレセント錠は、施錠される部位の一方側に固定されるベースと、ベースに対して回転可能な操作レバーと、施錠される部位の他方側に固定されるフックとを備える。すなわち、施錠される部位が閉じられた状態で操作レバーが回転されると、操作レバーがフックに引っかかる（つまりフックを係止する）ことで施錠が達成される。具体的には例えば、上記の施錠される部位は一対の引き違い戸であり、ベースは室内側の引き違い戸に固定され、フックは室外側の引き違い戸に固定される。
【０００４】
このようなクレセント錠の施解錠状態を検出する窓用戸締センサとしては、操作レバーに固定される磁石と、上記の一方の引き違い戸において施錠された状態で上記の磁石に近接する位置に固定されるリードスイッチとを備えるものがある。すなわち、施錠された状態では磁石が近接することでリードスイッチのオンオフが切り替わるから、リードスイッチのオンオフ状態に基いて施解錠状態を検出することができる。
【先行技術文献】
【特許文献】
【０００５】
【特許文献１】特開平６−３０９５７２号公報
【特許文献２】特開２００６−２８５８６３号公報
【発明の概要】
【発明が解決しようとする課題】
【０００６】
ここで、上記の磁石を操作レバーに固定する手段としては、一般的には両面テープが用いられる。従って、磁石の固定に十分な保持力を得るためには、磁石と操作レバーとの接触面積が十分に大きい必要がある。しかしながら、例えば磁石が平面状であって操作レバーが曲面状である場合のように、磁石の形状と操作レバーの形状とが互いに適合していない場合には、上記のような接触面積が確保できない。
【０００７】
また、施錠された状態で、リードスイッチが固定される面と操作レバーとの間に、リードスイッチと磁石とを配置可能な程度に大きい隙間が開いている必要がある。さらに、リードスイッチを正常に動作させるには、施錠された状態での磁石とリードスイッチとの間の距離を十分に小さくする必要があるから、上記の隙間は大きすぎてはならない。
【０００８】
つまり、上記従来の窓用戸締センサが使用される際に満たされるべき条件（以下、「使用条件」と呼ぶ。）は比較的に厳しかった。
【０００９】
本発明は、上記事由に鑑みて為されたものであり、その目的は、使用条件が緩和された窓用戸締センサを提供することにある。
【課題を解決するための手段】
【００１０】
本発明の窓用戸締センサは、クレセント錠の施解錠状態を検出する能動型のセンサを構成する検出部と、導電材料からなり前記クレセント錠の操作レバーに貼着された導電シートと、前記クレセント錠が施錠状態であるときと前記クレセント錠が解錠状態であるときとで前記操作レバーとの距離が変化する位置に固定されたコイルとを備え、前記検出部は、前記コイルのインダクタンスの変化に基づいて前記クレセント錠の施解錠状態を検出することを特徴とする。また、本発明の別の窓用戸締センサは、クレセント錠の施解錠状態を検出する能動型のセンサを構成する検出部と、導電材料からなり前記クレセント錠の操作レバーに貼着された導電シートと、前記クレセント錠が施錠状態であるときと前記クレセント錠が解錠状態であるときとで前記操作レバーとの距離が変化する位置に固定された２個の検出電極とを備え、前記検出部は、前記検出電極間のキャパシタンスに基いて前記クレセント錠の施解錠状態を検出することを特徴とする。
【発明の効果】
【００１７】
本発明によれば、能動型のセンサを構成する検出部によりクレセント錠の施解錠状態を検出するから、クレセント錠の操作レバーに磁石を貼着する必要が無い。従って、操作レバーに貼着した磁石をリードスイッチで検出する従来の窓用戸締センサに比べ、磁石を貼着することができないような曲面形状の操作レバーを有するクレセント錠に対しても使用できるといったように、使用条件が緩和される。
【図面の簡単な説明】
【００１８】
【図１】本発明の実施形態の使用状態の一例を示す説明図である。
【図２】同上の使用状態の別の例を示す説明図である。
【図３】同上を示すブロック図である。
【図４】同上の検出部の一例を示す説明図である。
【図５】同上の検出部の別の例を示す説明図である。
【図６】同上の検出部の更に別の例を示す説明図である。
【図７】同上の検出部の別の例を示す説明図である。
【発明を実施するための形態】
【００１９】
以下、本発明を実施するための最良の形態について、図面を参照しながら説明する。
【００２０】
本実施形態の窓用戸締センサ１は、図１に示すようなクレセント錠２の施解錠状態を検出するものである。このクレセント錠２は、施錠される部位の一方側に固定されるベース２１と、施錠される部位の他方側に固定されるフック２２と、フック２２を係止することにより施錠を達成する施錠位置とフック２２を係止しない解錠位置との間でベース２１に対して回転可能に取り付けられた操作レバー２３とを備える。引き違い戸に取り付けられる場合、窓用戸締センサ１の取付位置としては、図１のように室内側の引き違い戸の枠３１に取り付けてもよいし、図２のように室外側の引き違い戸の例えばガラス部分３２に取り付けてもよい。
【００２１】
窓用戸締センサ１は、図３に示すように、操作レバー２３の施解錠状態を検出する検出部１１と、検出部１１により解錠状態が検出された場合に所定の無線信号を外部装置（図示せず）に送信するという報知動作を行う報知部としての無線通信部１２と、検出部１１の出力に基いて無線通信部１２を制御する制御部１３とを備える。上記の無線信号の媒体としては例えば電波が用いられる。上記の各部はそれぞれ例えば釦電池のような電池（図示せず）を電源とする。
【００２２】
制御部１３は、例えばマイコンからなり、検出部１１により解錠状態が検出されたときに、上記の報知動作を行うように無線通信部１２を制御する。
【００２３】
上記の外部装置は、例えば、上記の無線信号が受信されたときに音や光による報知を行うものである。
【００２４】
なお、報知部としては、上記のような無線通信部１２に代えて又は加えて、ブザーやスピーカーを有して音による報知を行う電気回路や、発光ダイオードなどの発光素子を有して光による報知を行う電気回路を設けてもよい。
【００２５】
本実施形態は、検出部１１として能動型のセンサを構成するものを用いていることを特徴とする。
【００２６】
以下、検出部１１の具体例を説明する。検出部１１としては、まず、図４に示すような送信部１４と受信部１５とに接続されるものが考えられる。送信部１４は、操作レバー２３が施錠位置にある場合には操作レバー２３に当り且つ操作レバー２３が解錠位置にある場合には操作レバー２３に当たらないような方向に送信波１４ｗを送信するものである。また、受信部１５は、上記の送信波が操作レバー２３で反射された反射波１５ｗを受信するものであり、検出部１１は、受信部１５における上記の反射波１５ｗの受信状況に基いて施解錠状態を検出する。すなわち、検出部１１は送信部１４及び受信部１５とともに能動型のセンサを構成している。送信波１４ｗや受信波１５ｗの媒体としては、例えば、赤外線などの光や、超音波や、電波を用いることができ、これらのいずれを用いる場合であっても送信部１４と受信部１５とは周知技術で実現可能であるので詳細な図示並びに説明は省略する。検出部１１の動作としては、例えば、受信部１５に受信される反射波１５ｗの強度が所定の閾値を上回っているときに操作レバー２３が施錠位置にあると判定（つまり施錠状態を検出）し、受信部１５に受信される反射波１５ｗの強度が上記の閾値を下回っているときに操作レバー２３が解錠位置にあると判定（つまり解錠状態を検出）する。または、検出部１１は、上記の送信波１４ｗを間欠的に送信するように送信部１４を制御するとともに、送信部１４が送信波１４ｗを送信してから反射波１５ｗが受信部１５に受信されるまでの時間差に基いて（つまり、送信波を反射した反射面と窓用戸締センサ１との距離に基いて）施解錠状態を検出してもよい。このように、送信波を反射した反射面と窓用戸締センサ１との距離に基いて施解錠状態を検出する場合、例えば上記の距離が近すぎる場合には施解錠状態の判断を行わないなどとすることで、カーテン等で送信波１４ｗが反射されることによる誤検出を避けることができる。さらに、上記のような送信部１４及び受信部１５を用いる場合において、受信部１５に入射する反射波１５ｗを増加させる（例えば、送信波１４ｗに対する反射率が操作レバー２３よりも高い）反射シート４１を、操作レバー２３において送信波１４ｗが入射する位置に予め貼着しておけば、施解錠状態の検出の精度を向上することができる。なお、送信波１４ｗを反射する反射シート４１の使用が有効となるのは、上記のように反射波１５ｗを増加させたい場合だけではない。例えば、操作レバー２３の反射率が高すぎて受信部１５で飽和が発生し施解錠状態の検出が困難となるような場合には、上記とは逆に反射波１５ｗを減少させるような（つまり操作レバー２３よりも反射率が低い）反射シート４１の使用が有効である。また、操作レバー２３の表面の性状の違い（メッキの有無など）に関わらず動作条件（送信部１４の出力や上記の閾値など）を一定としたい場合にも、上記のような反射シート４１の使用は有効である。
【００２７】
また、検出部１１としては、他に、図５に示すように、コイル１６に接続されてコイル１６のインダクタンスの変化に基いて施解錠状態を検出するものも考えられる。コイル１６は、操作レバー２３が施錠位置にあるときと操作レバー２３が解錠位置にあるときとで操作レバー２３との距離が変化するような位置に固定される。検出部１１は、例えば、コイル１６に交流電流を入力することにより、コイル１６のインダクタンスの変化をコイル１６の両端電圧等の実効値の変化として検出する。この場合、検出部１１はコイル１６における電磁波の送受信により操作レバー２３の位置を検出していることになり、つまり検出部１１とコイル１６とで能動型のセンサが構成されている。
【００２８】
または、検出部１１としては、図６に示すように、２個の電極（以下、「検出電極」と呼ぶ。）１７に接続されてこれらの検出電極１７間のキャパシタンスの変化に基いて施解錠状態を検出するものも考えられる。各検出電極１７は、それぞれ、操作レバー２３が施錠位置にあるときと操作レバー２３が解錠位置にあるときとで操作レバー２３との距離が変化するような位置に固定される。例えば、各検出電極１７が、それぞれ、操作レバー２３が施錠位置にある状態で操作レバー２３に向けられる位置に設けられる場合、操作レバー２３が施錠位置にある状態（施錠状態）では、２個の検出電極１７は、図６に示す２個のコンデンサＣｐの直列回路と等価となる。検出部１１は、例えば、検出電極１７間に交流電流を入力することにより、検出電極１７間のキャパシタンスの変化を検出電極１７間の電圧等の実効値の変化として検出する。この場合、検出部１１は２個の検出電極１７における電磁波の送受信により操作レバー２３の位置を検出していることになり、つまり検出部１１と２個の検出電極１７とで能動型のセンサが構成されている。
【００２９】
図５や図６の例では、操作レバー２３が導電材料からなることが望ましい。ただし、操作レバー２３が絶縁材料からなる場合であっても、導電体からなる導電シート４２（例えば金属箔）を予め操作レバー２３に貼着しておくことで、上記のような検出が可能となる。逆に、操作レバー２３が導電材料からなる場合には導電シート４２は不要である。
【００３０】
また、検出部１１としては、図７に示すように、予め操作レバー２３に貼着された無線タグ４３との間で電波を媒体とする無線信号を送受信するタグ通信部１８に接続され、タグ通信部１８における無線タグ４３との間での通信の状況に基いて施解錠状態を検出するものも考えられる。無線タグ４３はタグ通信部１８から電磁誘導により電力を供給されて無線信号を送受信するものであり、無線タグ４３自体には電源が不要であることから柔軟なシート状に形成することができる。上記のようなタグ通信部１８や無線タグ４３は周知技術により実現可能であるので、図示並びに詳細な説明は省略する。タグ通信部１８と無線タグ４３とは、操作レバー２３が施錠位置にあるときと操作レバー２３が解錠位置にあるときとでタグ通信部１８と無線タグ４３との距離が変化するような位置関係とされる。例えば、無線タグ４３が、操作レバー２３が施錠位置にあるときにはタグ通信部１８と通信可能であって且つ操作レバー２３が解錠位置にあるときにはタグ通信部１８と通信不可能であるような位置に貼着される場合、検出部１１はタグ通信部１８が無線タグ４３と通信不可能であることに基いて解錠状態を検出することができる。この場合、検出部１１はタグ通信部１８における通信により操作レバー２３上の無線タグ４３の位置を検出していることになり、つまり検出部１１とタグ通信部１８とで能動型のセンサが構成されている。
【００３１】
上記構成によれば、操作レバー２３に磁石を貼着する必要がないことにより、磁石を貼着することができないような曲面形状の操作レバー２３を有するクレセント錠２に対しても使用できるといったように、使用条件が緩和される。
【００３２】
なお、反射シート４１、導電シート４２、無線タグ４３は、いずれも柔軟なシート状とすることができるから、ブロック状の磁石に比べて貼着箇所の制限が少ない。
【符号の説明】
【００３３】
１  窓用戸締センサ
２  クレセント錠
１１  検出部
１４  送信部
１５  受信部
１６  コイル
１７  検出電極
１８  タグ通信部
２１  ベース
２２  フック
２３  操作レバー
４１  反射シート
４２  導電シート
４３  無線タグ
【図１】
0005645264.tif 000002
【図２】
0005645264.tif 000003
【図３】
0005645264.tif 000004
【図４】
0005645264.tif 000005
【図５】
0005645264.tif 000006
【図６】
0005645264.tif 000007
【図７】
0005645264.tif 000008